(57)【特許請求の範囲】
【請求項１】
開口部を有する基板と、
前記開口部を左右方向に分断する態様で設けられ、商品通路内からの商品搬出を制御する複数のペダルを回動自在に軸支するとともに、当該ペダルを開閉するために前記基板の一方に側方に寄せて配置された開閉機構の一部を摺動自在に軸支する軸受部材と、
前記軸受部材を係止するために前記基板の一部を裏面側に突設形成され、かつ、前記基板の中央よりも前記開閉機構側に位置をずらして設けられた係止部とを備える自動販売機の商品搬出装置において、
前記軸受部材と前記係止部の少なくとも一方に、基板の裏面から突出するとともに前記基板の裏面が互いに対向する態様で二つの商品搬出装置を抱き合わせて組み立てたときに互いの側面が対峙する態様で設けた位置決め部を備え、
二つの商品搬出装置を抱き合わせて組み立てたときに、前記位置決め部どうしの互いの側面が当接して前記基板の組み付け位置を規制し、当該基板の位置ずれを防止するようにしたことを特徴とする自動販売機の商品搬出装置。
【発明の詳細な説明】
【０００１】
【発明の属する技術分野】
この発明は、自動販売機の商品搬出装置（以下、適宜、商品搬出装置という）に関し、さらに詳しくは、２つの商品搬出装置を抱き合わせて組み立てたときに、位置ずれするのを防止できる自動販売機の商品搬出装置に関する。
【０００２】
【従来の技術】
サーペンタイン式の商品通路を有する自動販売機において、商品搬出制御用の複数のペダルは基板に設けられ、当該商品通路に対してソレノイドを駆動源として開閉制御されている。かかる従来における自動販売機の商品搬出装置の一例を図面を参照しつつ説明する。図９は、従来における自動販売機の商品搬出装置を示す斜視図、図１０は、図９の背面を示す斜視図である。
【０００３】
図９に示すように、基板１０１には開口部が設けられており、この開口部に商品搬出制御用の上ペダル１１０と下ペダル１３０とが、ピン１１１，１３１によって回動自在に設けられている。この下ペダル１３０は、開状態において商品通路にある最下端の商品を支持するものである。また、上ペダル１１０は、下ペダル１３０が閉状態になり、前記最下端の商品が搬出される際に、次に最下端に移動することとなる商品を支持するものである。
【０００４】
これらのペダル１１０，１３０は、リンク機構等からなる開閉機構１５０によって開閉されるようになっている。この開閉機構１５０は、ソレノイド１７０によって往復動するプランジャ１６０に連結されている。売り切れスイッチ１８０は、商品の売り切れを検出するためのものである。位置決め部１０１ｊ、１０１ｋは、２つの商品搬出装置を抱き合わせて組み立てたときに、各々が互いに相手側の位置決め部１０１ｊ、１０１ｋと当接することにより組み付け位置を規制し、基板１０１どうしの位置ずれを防止するためのものである。
【０００５】
【発明が解決しようとする課題】
しかしながら、近年の要請により、従来の構造のままこれを薄型化しようとすると、２つの商品搬出装置を抱き合わせて組み立てたときに、隣接する開閉機構１５０等の摺動部品どうしの隙間を維持するのが困難となり、当該部品どうしの当たりが生じて商品の販売トラブルが発生するという問題点があった。
【０００６】
この発明は、上記に鑑みてなされたものであって、２つの商品搬出装置を抱き合わせて組み立てたときに位置ずれするのを防止できる自動販売機の商品搬出装置を提供することを目的とする。
【０００７】
【課題を解決するための手段】
上述の目的を達成するために、この発明に係る自動販売機の商品搬出装置は、開口部を有する基板と、前記開口部を左右方向に分断する態様で設けられ、商品通路内からの商品搬出を制御する複数のペダルを回動自在に軸支するとともに、当該ペダルを開閉するために前記基板の一方に側方に寄せて配置された開閉機構の一部を摺動自在に軸支する軸受部材と、前記軸受部材を係止するために前記基板の一部を裏面側に突設形成され、かつ、前記基板の中央よりも前記開閉機構側に位置をずらして設けられた係止部とを備える自動販売機の商品搬出装置において、  前記軸受部材と前記係止部の少なくとも一方に、基板の裏面から突出するとともに前記基板の裏面が互いに対向する態様で二つの商品搬出装置を抱き合わせて組み立てたときに互いの側面が対峙する態様で設けた位置決め部を備え、二つの商品搬出装置を抱き合わせて組み立てたときに、前記位置決め部どうしの互いの側面が当接して前記基板の組み付け位置を規制し、当該基板の位置ずれを防止するようにしたものである。
【０００９】
【発明の実施の形態】
以下、この発明にかかる自動販売機の商品搬出装置の実施の形態につき図面を参照しつつ詳細に説明する。なお、この実施の形態によりこの発明が限定されるものではない。
【００１０】
図１は、この発明の実施の形態にかかる商品搬出装置を示す斜視図、図２は、２つの商品搬出装置を抱き合わせた状態を示す斜視図、図３は、自動販売機を示す斜視図、図４は、商品収納ラックを示す斜視図、図５は、商品搬出装置を示す正面図、図６は、商品搬出装置を抱き合わせた場合における図５のＡ−Ａ断面方向から見た係止片の位置決め部を示す側面図、図７は、軸受部材の位置決め部を示す斜視図、図８は、商品搬出装置を抱き合わせた場合における図５のＢ−Ｂ断面方向から見た軸受部材の位置決め部を示す側面図である。
【００１１】
先ず、本発明が適用される自動販売機の商品収納ラックの概略構成について説明する。図３に示すように、自動販売機は、本体１内に複数の商品収納ラック４を備えるとともに、本体１に対して開閉自在な内扉２および外扉３とを備えている。
【００１２】
この商品収納ラック４は、図４に示すように、サーペンタイン式の商品通路４ａを複数（たとえば、４つ）有し、両側面にはラック側板４ｂが設けられている。この商品通路４ａの下端部には、後述する上ペダル１０および下ペダル３０が商品通路４ａに臨むように２つの商品搬出装置５を抱き合わせて（図２参照）設けられており、当該ペダル１０，３０の開閉制御によって商品の搬出を制御できるようになっている。なお、これらの商品搬出装置５，５は、ピン２０１，２０２によってラック側板４ｂに固定されている。また、ピン２０１は、ホルダー２１１によって基板６に固定されている。
【００１３】
つぎに、本発明の全体構成について説明する。図１に示すように、基板６には開口部７が設けられており、この開口部７に商品搬出制御用の上ペダル１０と下ペダル３０とが、ピン１１，３１によって回動自在に設けられている。この下ペダル３０は、開状態において商品通路４ａにある最下端の商品（図示せず）を支持するものである。また、上ペダル１０は、下ペダル３０が閉状態になり、前記最下端の商品が搬出される際に、次に最下端に移動することとなる商品を支持するものである。
【００１４】
これらのペダル１０，３０は、リンク機構等からなる開閉機構５０によって開閉されるようになっている。この開閉機構５０は、ソレノイド７０によって往復動するプランジャ６０に連結されている。また、軸受部材５２は、ピン１１，３１や開閉機構５０の摺動ピンを支持するためのものであり、その両端部を基板６の一部を折曲して設けた係止片６ｈ、６ｍによって係止されている（図１、図７参照）。なお、売り切れスイッチ８０は、マイクロスイッチを備え、商品の売り切れを検出するためのものである。
【００１５】
つぎに、本発明の要部を図１、図６〜図８に基づいて説明する。図１に示すように、係止片６ｈは、基板６の一部を立設した係止部６ｅをさらに水平に折曲したものであり、その側面部を位置決め部６ｎとして形成してある。この位置決め部６ｎは、図６に示すように、２つの商品搬出装置５を抱き合わせて組み立てたときに、互いの位置決め部６ｎどうしが当接することにより組み付け位置を規制し、基板６どうしの位置ずれを防止するためのものである。
【００１６】
また、図７および図８に示すように、位置決め部５２ａは、上記位置決め部６ｎと同様の目的を達成できるように、軸受部材５２の中央部付近を突設して形成したものである。すなわち、この位置決め部５２ａは、図８に示すように、２つの商品搬出装置５を抱き合わせて組み立てたときに、互いの位置決め部５２ａどうしが当接することにより組み付け位置を規制し、基板６どうしの位置ずれを防止するようになっている。
【００１７】
以上のように、この実施の形態にかかる自動販売機の商品搬出装置５によれば、位置決め部６ｎ，５２ａを備えたので、２つの商品搬出装置５を抱き合わせて組み立てたときに位置ずれするのを防止でき、隣接する開閉機構１５０等の摺動部品どうしの隙間を維持することができる。したがって、当該部品どうしの当たりにより生じる商品の販売トラブルを防止できる。
【００１８】
また、別途の部品を追加することなく、構成部材たる係止片６ｈおよび軸受部材５２を利用することにより上記効果を奏することができるので、コスト低減にも寄与できる。
【００１９】
また、軸受部材５２の位置決め部５２ａは、当該軸受部材５２の長手方向中央部付近を突設形成したので、ペダル１０，３０の回動スペースを確保しつつ基板６の位置決めができるとともに、軸受部材５２の強度を高めることができる。
【００２０】
【発明の効果】
以上説明したように、この発明にかかる自動販売機の商品搬出装置（請求項１）によれば、開口部を有する基板と、前記開口部を左右方向に分断する態様で設けられ、商品通路内からの商品搬出を制御する複数のペダルを回動自在に軸支するとともに、当該ペダルを開閉するために前記基板の一方に側方に寄せて配置された開閉機構の一部を摺動自在に軸支する軸受部材と、前記軸受部材を係止するために前記基板の一部を裏面側に突設形成され、かつ、前記基板の中央よりも前記開閉機構側に位置をずらして設けられた係止部とを備える自動販売機の商品搬出装置において、前記軸受部材と前記係止部の少なくとも一方に、基板の裏面から突出するとともに前記基板の裏面が互いに対向する態様で二つの商品搬出装置を抱き合わせて組み立てたときに互いの側面が対峙する態様で設けた位置決め部を備え、二つの商品搬出装置を抱き合わせて組み立てたときに、前記位置決め部どうしの互いの側面が当接して前記基板の組み付け位置を規制し、当該基板の位置ずれを防止するようにしたので、隣接する開閉機構の摺動部品どうしの隙間を維持することができ、当該部品どうしの当たりにより生じる商品の販売トラブルを防止できる。
【図面の簡単な説明】
【図１】この発明の実施の形態にかかる商品搬出装置の構成を示す斜視図である。
【図２】２つの商品搬出装置を抱き合わせた状態を示す斜視図である。
【図３】自動販売機の構成を示す斜視図である。
【図４】商品収納ラックの構成を示す斜視図である。
【図５】商品搬出装置の構成を示す正面図である。
【図６】商品搬出装置を抱き合わせた場合における図５に示したＡ−Ａ断面方向から見た係止片の位置決め部を示す側面図である。
【図７】軸受部材の位置決め部の構成を示す斜視図である。
【図８】商品搬出装置を抱き合わせた場合における図５に示したＢ−Ｂ断面方向から見た軸受部材の位置決め部を示す側面図である。
【図９】従来における自動販売機の商品搬出装置の構成を示す斜視図である。
【図１０】図９に示した商品搬出装置の背面を示す斜視図である。
【符号の説明】
４ａ  商品通路
５  商品搬出装置
６  基板
６ｈ  係止部
６ｎ  位置決め部
５０  開閉機構
５２  軸受部材
５２ａ  位置決め部
【図１】
0004003366.tif 000002
【図２】
0004003366.tif 000003
【図３】
0004003366.tif 000004
【図４】
0004003366.tif 000005
【図５】
0004003366.tif 000006
【図６】
0004003366.tif 000007
【図７】
0004003366.tif 000008
【図８】
0004003366.tif 000009
【図９】
0004003366.tif 000010
【図１０】
0004003366.tif 000011